(57)【要約】【課題】  タッチパネルを介して入力されたタッチ操作に応じて撮像することで、複数人による自分撮りの不満を低減する仕組みを提供する。【解決手段】  一定時間間隔で撮像された撮像画像と、一定時間間隔以外で撮像された撮像画像とを表示する情報処理装置であって、一定時間間隔で撮像された撮像画像または一定時間間隔以外で撮像された撮像画像を取得した撮像画像が、一定時間間隔によって撮像されたか否かを判定し、一定時間間隔で撮像されたと判定された撮像画像と、一定時間間隔以外で撮像されたと判定された撮像画像とを識別して表示することを特徴とする情報処理装置。【選択図】図１７
2019216490.tif 000002
【特許請求の範囲】
【請求項１】
一定時間間隔で撮像された撮像画像と、前記一定時間間隔以外で撮像された撮像画像とを表示する情報処理装置であって、
前記一定時間間隔で撮像された撮像画像または前記一定時間間隔以外で撮像された撮像画像を取得する撮像画像取得手段と、
前記撮像画像取得手段により取得した撮像画像が、一定時間間隔によって撮像されたか否かを判定する一定時間間隔判定手段と、
前記撮像画像取得手段により取得した撮像画像を表示する撮像画像表示手段と
を備え、
前記撮像画像表示手段は、
前記一定時間間隔判定手段により一定時間間隔で撮像されたと判定された撮像画像と、前記一定時間間隔判定手段により一定時間間隔以外で撮像されたと判定された撮像画像とを識別して表示すること
を特徴とする情報処理装置。
【請求項２】
前記撮像画像表示手段により表示された撮像画像の削除指示を受け付ける撮像画像削除指示受付手段と、
前記撮像画像削除指示受付手段により削除指示を受け付けた撮像画像を削除するか否かの確認する撮像画像削除確認手段と
を更に備え、
前記一定時間間隔判定手段は、
前記撮像画像削除指示受付手段により削除指示を受け付けた撮像画像が、一定時間間隔によって撮像されたか否かを判定し、
前記撮像画像削除確認手段は、
前記一定時間間隔判定手段により一定時間間隔で撮像されたと判定された撮像画像を削除するか否かと、前記一定時間間隔判定手段により一定時間間隔以外で撮像されたと判定された撮像画像を削除するか否かと、を異なる回数確認すること
を特徴とする請求項１に記載の情報処理装置。
【請求項３】
前記撮像画像取得手段により取得した複数の撮像画像を順次表示してスライドショーを行うスライドショー手段と
を更に備え、
前記スライドショー手段は、
前記一定時間間隔判定手段により一定時間間隔で撮像されたと判定された撮像画像と、前記一定時間間隔判定手段により一定時間間隔以外で撮像されたと判定された撮像画像とを異なる時間を用いて表示すること
を特徴とする請求項１または２に記載の情報処理装置。
【請求項４】
前記一定時間間隔以外で撮像とは、
ユーザ操作による撮像、音量に応じた撮像、前回の撮像画像からの画像変化量に応じた撮像、前回の撮像時からの撮像装置の傾きに応じた撮像のうち、少なくとも１つを含むこと
を特徴とする請求項１乃至３のいずれか１項に記載の情報処理装置。
【請求項５】
前記音量、前記画像変化量、または前記傾きの少なくとも１つに応じて、撮像画像を識別表示する表示形式を定義する表示形式定義手段と
を更に備え、
前記撮像画像表示手段は、
前記表示形式定義手段により定義された表示形式を用いて、撮像画像を識別して表示すること
を特徴とする請求項４に記載の情報処理装置。
【請求項６】
前記表示形式定義手段により定義された表示形式とは、
前記音量、前記画像変化量、または前記傾きの少なくとも１つに応じた時間を用いた表示である
を特徴とする請求項５に記載の情報処理装置。
【請求項７】
一定時間間隔で撮像された撮像画像と、前記一定時間間隔以外で撮像された撮像画像とを表示する情報処理装置における処理方法であって、
前記情報処理装置が、
前記一定時間間隔で撮像された撮像画像または前記一定時間間隔以外で撮像された撮像画像を取得する撮像画像取得ステップと、
前記撮像画像取得ステップにより取得した撮像画像が、一定時間間隔によって撮像されたか否かを判定する一定時間間隔判定ステップと、
前記撮像画像取得ステップにより取得した撮像画像を表示する撮像画像表示ステップと
を実行し、
前記撮像画像表示ステップは、
前記一定時間間隔判定ステップにより一定時間間隔で撮像されたと判定された撮像画像と、前記一定時間間隔判定ステップにより一定時間間隔以外で撮像されたと判定された撮像画像とを識別して表示すること
を特徴とする処理方法。
【請求項８】
一定時間間隔で撮像された撮像画像と、前記一定時間間隔以外で撮像された撮像画像とを表示する情報処理装置で実行可能なプログラムであって、
前記情報処理装置を、
前記一定時間間隔で撮像された撮像画像または前記一定時間間隔以外で撮像された撮像画像を取得する撮像画像取得手段と、
前記撮像画像取得手段により取得した撮像画像が、一定時間間隔によって撮像されたか否かを判定する一定時間間隔判定手段と、
前記撮像画像取得手段により取得した撮像画像を表示する撮像画像表示手段
として機能させ、
前記撮像画像表示手段は、
前記一定時間間隔判定手段により一定時間間隔で撮像されたと判定された撮像画像と、前記一定時間間隔判定手段により一定時間間隔以外で撮像されたと判定された撮像画像とを識別して表示すること
を特徴とするプログラム。
【発明の詳細な説明】
【技術分野】
【０００１】
本発明は、タイムラプス撮像された撮像画像を表示する情報処理装置と、その処理方法及びプログラムの技術に関する。
【背景技術】
【０００２】
従来より、一定時間間隔で撮像された撮像画像を撮影日時順に表示することで動画のように見せるタイムラプスという技術が存在する。このように、一定時間間隔で撮像された画像をスライドショー表示することで、時間経過に伴う撮像対象物の変化を短時間で確認することができるため、タイムラプスは、デジタルカメラ、監視カメラ、ネットワークカメラ、スマートフォン・タブレット・移動体に設置されたカメラなどで撮像した大量の静止画像の確認に適用することができる。
【０００３】
一方、デジタルカメラにおいては、画像認識による撮像、マイクで検知した音量に応じた撮像、前回の撮像画像からの画像変化量に応じた撮像、前回の撮像時からの撮像装置の傾きに応じた撮像などの撮像トリガーを用いて、自動撮像する技術も存在する。これらの撮像トリガーを用いた自動撮像により、撮像対象や撮像環境の変化に応じた撮像ができるため、撮像対象の細かな変化を捉えることができる。
特許文献１では、撮像されて生成された複数の画像を撮像日時順に、かつ撮像日時の間隔に応じて表示時間を変化させて、表示する仕組みが開示されている。
【先行技術文献】
【特許文献】
【０００４】
【特許文献１】特開２００７−１６５９５９号公報
【発明の概要】
【発明が解決しようとする課題】
【０００５】
しかしながら、撮像トリガーによる自動撮像された時刻がタイムラプスにより撮像された時刻とほぼ同じ時刻になってしまった場合は、特許文献１のように撮像日時の間隔に応じて表示時間を変化させたとしても、撮像トリガーによる自動撮像された画像をタイムラプスにより撮像された画像と識別することが困難、という課題がある。
また、タイムラプスにより撮像された画像の数が多いため、注目すべき撮像トリガーによる自動撮像された画像を誤って削除してしまうという課題もある。
【０００６】
よって、本発明の目的は、一定時間間隔の撮像された撮像画像と、一定時間間隔以外で撮像された撮像画像を識別して表示する仕組みを提供することを目的とする。
【課題を解決するための手段】
【０００７】
一定時間間隔で撮像された撮像画像と、前記一定時間間隔以外で撮像された撮像画像とを表示する情報処理装置であって、前記一定時間間隔で撮像された撮像画像または前記一定時間間隔以外で撮像された撮像画像を取得する撮像画像取得手段と、前記撮像画像取得手段により取得した撮像画像が、一定時間間隔によって撮像されたか否かを判定する一定時間間隔判定手段と、前記撮像画像取得手段により取得した撮像画像を表示する撮像画像表示手段とを備え、前記撮像画像表示手段は、前記一定時間間隔判定手段により一定時間間隔で撮像されたと判定された撮像画像と、前記一定時間間隔判定手段により一定時間間隔以外で撮像されたと判定された撮像画像とを識別して表示することを特徴とする情報処理装置。
【発明の効果】
【０００８】
本発明によれば、
させる仕組みを提供することができる。
【図面の簡単な説明】
【０００９】
【図１】本実施形態の撮像装置１００の外観の一例を示す図
【図２】本実施形態の情報処理装置１０１の構成のハードウェア構成の一例を示す図
【図３】本実施形態の情報処理装置１０１の機能構成の一例を示すブロック図
【図４】本実施形態の撮像装置１００における撮像全体処理の一例を示すフローチャート
【図５】本実施形態の撮像装置１００におけるタイムラプス撮像設定画面の一例を示す図
【図６】本実施形態の撮像装置１００におけるタイムラプス撮像設定処理の一例を示すフローチャート
【図７】本実施形態の撮像装置１００におけるタイムラプス撮像処理による撮像画像の一例を示す図
【図８】本実施形態の撮像装置１００におけるタイムラプス撮像処理の一例を示すフローチャート
【図９】本実施形態の情報処理装置１０１における一覧表示全体処理の一例を示すフローチャート
【図１０】本実施形態の情報処理装置１０１における撮像画像一覧設定画面の一例を示す図
【図１１】本実施形態の情報処理装置１０１における撮像画像一覧設定処理の一例を示すフローチャート
【図１２】本実施形態の情報処理装置１０１における撮像画像一覧画面の一例を示す図
【図１３】本実施形態の情報処理装置１０１における撮像画像一覧処理の一例を示すフローチャート
【図１４】本実施形態の情報処理装置１０１におけるスライドショー全体処理の一例を示すフローチャート
【図１５】本実施形態の情報処理装置１０１におけるスライドショー設定画面の一例を示す図
【図１６】本実施形態の情報処理装置１０１におけるスライドショー設定処理の一例を示すフローチャート
【図１７】本実施形態の情報処理装置１０１におけるスライドショー表示画面の一例を示す図
【図１８】本実施形態の情報処理装置１０１におけるスライドショー表示処理の一例を示すフローチャート
【発明を実施するための形態】
【００１０】
以下、添付の図面を参照して本発明の好適な実施形態を説明する。
［撮像装置の構成について］
以下、添付図面を参照しながら、本発明に係る撮像装置の実施形態について詳細に説明する。
【００１１】
図１は、本発明の構成の一例を示す図である。本発明の撮像装置１００は、例えば、デジタルカメラ、デジタルビデオカメラ、監視カメラ、ネットワークカメラ、スマートフォン・タブレット・移動体に設置されたカメラである。
【００１２】
情報処理装置１０１は、パーソナルコンピュータ等の汎用のコンピュータ装置である。情報処理装置１０１は、撮像装置１００で撮像された撮像画像を表示する端末である。情報処理装置１０１は、撮像装置１００と同一の端末でもよい。つまり、撮像装置１００において撮像画像を表示するとしてもよい。
図２は、本実施形態の情報処理装置１０１の構成のハードウェア構成の一例を示す図である。
【００１３】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００１４】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００１５】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００１６】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００１７】
２０８は通信Ｉ／Ｆコントローラで、ネットワーク１０５を介して外部機器と接続・通信するものであり、ネットワークでの通信制御処理を実行する。例えば、ＴＣＰ／ＩＰを用いた通信等が可能である。
【００１８】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
ハードウエア上で動作する各種プログラムは、外部メモリ２１１に記録されており、必要に応じてＲＡＭ２０２にロードされることによりＣＰＵ２０１によって実行されるものである。
なお、全ての装置がこれらの構成を備えているわけではなく、必要なものを夫々備えていればよい。
【００１９】
図３は、本実施形態の情報処理装置１０１の機能構成の一例を示すブロック図である。
撮像画像取得部３０１は、一定時間間隔で撮像された撮像画像または一定時間間隔以外で撮像された撮像画像を取得する機能部である。
一定時間間隔判定部３０２は、撮像画像取得部３０１により取得した撮像画像が、一定時間間隔によって撮像されたか否かを判定する機能部である。
撮像画像表示部３０３は、撮像画像取得部３０１により取得した撮像画像を表示する機能部である。
【００２０】
撮像画像表示部３０３は、一定時間間隔判定部３０２により一定時間間隔で撮像されたと判定された撮像画像と、一定時間間隔判定部３０２により一定時間間隔以外で撮像されたと判定された撮像画像とを識別して表示する機能部である。
撮像画像削除指示受付部３０４は、撮像画像表示部３０３により表示された撮像画像の削除指示を受け付ける機能部である。
撮像画像削除確認部３０５は、撮像画像削除指示受付部３０４により削除指示を受け付けた撮像画像を削除するか否かの確認する機能部である。
【００２１】
一定時間間隔判定部３０２は、撮像画像削除指示受付部３０４により削除指示を受け付けた撮像画像が、一定時間間隔によって撮像されたか否かを判定する機能部である。
【００２２】
撮像画像削除確認部３０５は、一定時間間隔判定部３０２により一定時間間隔で撮像されたと判定された撮像画像を削除するか否かと、一定時間間隔判定部３０２により一定時間間隔以外で撮像されたと判定された撮像画像を削除するか否かと、を異なる回数確認する機能部である。
スライドショー部３０６は、撮像画像取得部３０１により取得した複数の撮像画像を順次表示してスライドショーを行う機能部である。
【００２３】
スライドショー部３０６は、一定時間間隔判定部３０２により一定時間間隔で撮像されたと判定された撮像画像と、一定時間間隔判定部３０２により一定時間間隔以外で撮像されたと判定された撮像画像とを異なる時間を用いて表示する機能部である。
表示形式定義部３０７は、音量、画像変化量、または傾きの少なくとも１つに応じて、撮像画像を識別表示する表示形式を定義する機能部である。
撮像画像表示部３０３は、表示形式定義部３０７により定義された表示形式を用いて、撮像画像を識別して表示する機能部である。
【００２４】
［撮像処理について]
次に、本発明に係る撮像装置１００における撮像全体処理の流れについて説明する。
図４は、本実施形態の撮像装置１００における撮像全体処理の一例を示すフローチャートである。
このフローチャートにおける各処理は、撮像装置１００のＣＰＵがフラッシュメモリ等に格納されたプログラムをＲＡＭに展開して実行することにより実現される。
ステップＳ４０１において、撮像装置１００は、タイムラプス撮像設定処理（図６）を行う。
ステップＳ４０２において、撮像装置１００は、タイムラプス撮像処理（図８）を行う。
以上で、図４の撮像全体処理の説明を終了する。
【００２５】
図５は、本実施形態の撮像装置１００におけるタイムラプス撮像設定画面の一例を示す図である。撮像装置１００のディスプレイに表示されたタイムラプス撮像設定画面５００で設定された値は、フラッシュメモリ等に格納されたタイムラプス撮像設定テーブル５００に記憶する。
図６は、本実施形態の撮像装置１００におけるタイムラプス撮像設定処理の一例を示すフローチャートである。
ステップＳ６０１において、撮像装置１００は、タイムラプス撮像設定ボタン（不図示）の押下を受け付ける。
ステップＳ６０２において、撮像装置１００は、タイムラプス撮像設定画面５００（図５）を表示する。
【００２６】
ステップＳ６０３において、撮像装置１００は、定間隔撮像チェックボックス５０１の押下を受け付けたか否かの判定をする。押下を受け付けた場合は、ステップＳ６０４に進む。押下を受け付けなかった場合は、ステップＳ６０７に進む。定間隔撮像チェックボックス５０１をＯＮにしておくことで、後述するタイムラプス撮像処理（図８）において、定間隔撮像時間５０２おきに撮像することができる。
ステップＳ６０４において、撮像装置１００は、タイムラプス撮像設定テーブル５００の定間隔撮像５２１の値をＯＮに設定する。
【００２７】
ステップＳ６０５において、撮像装置１００は、定間隔撮像時間５０２の入力を受け付ける。例えば、「１分」という値の入力を受け付ける。時間の単位としては、「秒」「分」「時間」「日」「月」「年」などを選択することができる。
【００２８】
ステップＳ６０６において、撮像装置１００は、ステップＳ６０５にて入力を受け付けた定間隔撮像時間５０２の値をタイムラプス撮像設定テーブル５００の定間隔撮像時間５２２の値として設定し、ステップＳ６０３に戻る。
【００２９】
ステップＳ６０７において、撮像装置１００は、シャッターボタンチェックボックス５０３の押下を受け付けたか否かの判定をする。押下を受け付けた場合は、ステップＳ６０８に進む。押下を受け付けなかった場合は、ステップＳ６０９に進む。シャッターボタンチェックボックス５０３をＯＮにしておくことで、定間隔撮像を行っている最中にシャッターボタンの押下を受け付けた場合、撮像することができる。
【００３０】
ステップＳ６０８において、撮像装置１００は、タイムラプス撮像設定テーブル５００の撮像トリガーシャッター５２３の値をＯＮに設定し、ステップＳ６０３に戻る。
【００３１】
ステップＳ６０９において、撮像装置１００は、音チェックボックス５０４の押下を受け付けたか否かの判定をする。押下を受け付けた場合は、ステップＳ６１０に進む。押下を受け付けなかった場合は、ステップＳ６１３に進む。音チェックボックス５０４をＯＮにしておくことで、定間隔撮像を行っている最中に撮像装置１００のマイクにより、撮像トリガー音量５０５以上の音を検知した場合、自動で撮像される。
ステップＳ６１０において、撮像装置１００は、タイムラプス撮像設定テーブル５００の撮像トリガー音５２４の値をＯＮに設定する。
ステップＳ６１１において、撮像装置１００は、撮像トリガー音量５０５の入力を受け付ける。例えば、「８０ｄＢ」という値の入力を受け付ける。
【００３２】
ステップＳ６１２において、撮像装置１００は、ステップＳ６１１にて入力を受け付けた撮像トリガー音量５０５の値をタイムラプス撮像設定テーブル５００の撮像トリガー音量５２５の値として設定し、ステップＳ６０３に戻る。
【００３３】
ステップＳ６１３において、撮像装置１００は、画像変化チェックボックス５０６の押下を受け付けたか否かの判定をする。押下を受け付けた場合は、ステップＳ６１４に進む。押下を受け付けなかった場合は、ステップＳ６１７に進む。画像変化チェックボックス５０６をＯＮにしておくことで、定間隔撮像を行っている最中に、撮像装置１００のレンズを経由して得られた画像に前回の撮像画像から、撮像トリガー画像変化量５０７以上変化した場合、自動で撮像される。
ステップＳ６１４において、撮像装置１００は、タイムラプス撮像設定テーブル５００の撮像トリガー画像変化５２６の値をＯＮに設定する。
ステップＳ６１５において、撮像装置１００は、撮像トリガー画像変化量５０７の入力を受け付ける。例えば、「１０％」という値の入力を受け付ける。
【００３４】
ステップＳ６１６において、撮像装置１００は、ステップＳ６１５にて入力を受け付けた撮像トリガー画像変化量５０７の値をタイムラプス撮像設定テーブル５００の撮像トリガー画像変化量５２７の値として設定し、ステップＳ６０３に戻る。
【００３５】
ステップＳ６１７において、撮像装置１００は、位置変化チェックボックス５０８の押下を受け付けたか否かの判定をする。押下を受け付けた場合は、ステップＳ６１８に進む。押下を受け付けなかった場合は、ステップＳ６２１に進む。位置変化チェックボックス５０８をＯＮにしておくことで、定間隔撮像を行っている最中に、撮像装置１００のＧＰＳで計測された位置情報が前回の撮像時の位置情報から、撮像トリガー位置変化量５０９以上変化した場合、自動で撮像される。
ステップＳ６１８において、撮像装置１００は、タイムラプス撮像設定テーブル５００の撮像トリガー位置変化５２８の値をＯＮに設定する。
ステップＳ６１９において、撮像装置１００は、撮像トリガー位置変化量５０９の入力を受け付ける。例えば、「１ｍ」という値の入力を受け付ける。
【００３６】
ステップＳ６２０において、撮像装置１００は、ステップＳ６１９にて入力を受け付けた撮像トリガー位置変化量５０９の値をタイムラプス撮像設定テーブル５００の撮像トリガー位置変化量５２９の値として設定し、ステップＳ６０３に戻る。
【００３７】
ステップＳ６２１において、撮像装置１００は、傾き変化チェックボックス５１０の押下を受け付けたか否かの判定をする。押下を受け付けた場合は、ステップＳ６２２に進む。押下を受け付けなかった場合は、ステップＳ６２５に進む。傾き変化チェックボックス５１０をＯＮにしておくことで、定間隔撮像を行っている最中に、撮像装置１００のジャイロセンサで計測された傾きが前回の撮像時の傾きから、撮像トリガー傾き変化量５１１以上の変化した場合、自動で撮像される。
ステップＳ６２２において、撮像装置１００は、タイムラプス撮像設定テーブル５００の撮像トリガー傾き変化５３０の値をＯＮに設定する。
ステップＳ６２３において、撮像装置１００は、撮像トリガー傾き変化量５１１の入力を受け付ける。例えば、「２０°」という値の入力を受け付ける。
【００３８】
ステップＳ６２４において、撮像装置１００は、ステップＳ６２３にて入力を受け付けた撮像トリガー傾き変化量５１１の値をタイムラプス撮像設定テーブル５００の撮像トリガー傾き変化量５３１の値として設定し、ステップＳ６０３に戻る。
【００３９】
ステップＳ６２５において、撮像装置１００は、保存ボタン５１３の押下を受け付けたか否かの判定をする。押下を受け付けた場合は、ステップＳ６２６に進む。押下を受け付けなかった場合は、ステップＳ６２７に進む。
ステップＳ６２６において、撮像装置１００は、このタイムラプス撮像設定処理で行ったタイムラプス撮像設定テーブル５００への値の設定をコミットする。
【００４０】
ステップＳ６２７において、撮像装置１００は、キャンセルボタン５１２の押下を受け付けたか否かの判定をする。押下を受け付けた場合は、ステップＳ６２８に進む。押下を受け付けなかった場合は、ステップＳ６０３に戻る。
【００４１】
ステップＳ６２８において、撮像装置１００は、このタイムラプス撮像設定処理で行ったタイムラプス撮像設定テーブル５００への値の設定をロールバックする。
以上で、図６のタイムラプス撮像設定処理の説明を終了する。
【００４２】
図７は、本実施形態の撮像装置１００におけるタイムラプス撮像処理による撮像画像の一例を示す図である。撮像装置１００にて、１２時００分００秒に撮像を開始し（図７の７０１）、以降１分おきに定間隔撮像（図７の７０２、７０４）を行っている最中に、トリガー撮像（図７の７０３、７０５、７０６）が行われた撮像画像である。なお、定間隔撮像停止ボタン７０７を押下することで、定間隔撮像を停止することができる。また、撮像された撮像画像は、撮像装置１００のフラッシュメモリ等に格納される。
【００４３】
図８は、本実施形態の撮像装置１００におけるタイムラプス撮像処理の一例を示すフローチャートである。
ステップＳ８０１において、撮像装置１００は、撮像モードへの切り替えを受け付ける。これにより、撮像装置１００は撮像することが可能な状態になる。
ステップＳ８０２において、撮像装置１００は、撮像画面（不図示）を表示する。具体的には、ディスプレイにレンズを経由して得られた画像を表示する。
ステップＳ８０３において、撮像装置１００は、シャッターボタンの押下を受け付けたか否かの判定をする。押下を受け付けた場合は、ステップＳ８０４に進む。押下を受け付けなかった場合は、ステップＳ８０３に戻る。シャッターボタンを押下することで、定間隔撮像を開始することができる。
【００４４】
ステップＳ８０４において、撮像装置１００は、レンズを経由して得られた現在の画像、現在の時刻、ＧＰＳで計測された現在の位置情報、ジャイロセンサで計測された現在の端末の傾き情報を取得する。例えば、現在画像＝図７の７０１、現在時刻＝１２時００分００秒が取得されたとする。
【００４５】
ステップＳ８０５において、撮像装置１００は、ステップＳ８０４にて取得した「現在画像」「現在時刻」「現在位置情報」「現在傾き情報」「撮像トリガー」を、「撮像画像」「撮像時刻」「撮像位置情報」「撮像傾き情報」「撮像トリガー」として、ＲＡＭとフラッシュメモリに記憶する。また、フラッシュメモリには、「撮像画像」を画像ファイルとして、「撮像時刻」「撮像位置情報」「撮像傾き情報」「撮像トリガー」を当該画像ファイルの付加情報として記憶する。
【００４６】
なお、この実施形態においては、「撮像時刻」「撮像位置情報」「撮像傾き情報」「撮像トリガー」を画像ファイルの付加情報として記憶するとしたが、これに限定するものではなく、例えば、これらの情報を特定できるようなファイル名にする、これらの情報を画像ファイル識別情報と対応づけてデータベースに記憶する等、他の記憶方法であってもよい。
【００４７】
なお、撮像トリガーには、「定間隔」「シャッター」「音」「画像変化」「位置変化」「傾き変化」などがある。また、この実施形態においては、撮像トリガーは「定間隔」「シャッター」「音」「画像変化」「位置変化」「傾き変化」としたが、これに限定するものではなく、「明るさ」「気圧」「（撮像者の）心拍数」などを撮影トリガーとしてもよい。
【００４８】
また、「撮像トリガー」＝定間隔の場合、または「前回定間隔撮像時刻」がＮＵＬＬの場合、「前回定間隔撮像時刻」＝撮像時刻としてＲＡＭに記憶しておく。以上のステップＳ８０４〜Ｓ８０５により撮像が行われる。
【００４９】
ステップＳ８０６において、撮像装置１００は、フラッシュメモリに記憶された定間隔撮像５２１の値を判定する。ＯＮの場合は、ステップＳ８０７に進む。ＯＦＦの場合は、このタイムラプス撮像処理を終了する。
ステップＳ８０７において、撮像装置１００は、現在の時刻を取得する。
【００５０】
ステップＳ８０８において、撮像装置１００は、現在時刻≧前回定間隔撮像時刻＋定間隔撮像時間か否かを判定する。該当する場合、ステップＳ８０４〜Ｓ８０５により撮像を行う。該当しない場合、ステップＳ８０９に進む。なお、前回定間隔撮像時刻はステップＳ８０５にて記憶したＲＡＭから、定間隔撮像時間はステップＳ６０６にて記憶したフラッシュメモリから取得する。具体的には、前回定間隔撮像時刻＝１２時００分００秒、定間隔撮像時間＝１分の場合、現在時刻＝１２時０１分００秒を過ぎると、ステップＳ８０４〜Ｓ８０５により撮像を行う（図７の７０２）。その後、現在時刻＝１２時０２分００秒、１２時０３分００秒・・・を過ぎる度に、ステップＳ８０４〜Ｓ８０５により撮像を行う（図７の７０４）。
【００５１】
ステップＳ８０９において、撮像装置１００は、フラッシュメモリに記憶された撮像トリガーシャッター５２３の値を判定する。ＯＮの場合は、ステップＳ８１０に進む。ＯＦＦの場合は、ステップＳ８１１に進む。
【００５２】
ステップＳ８１０において、撮像装置１００は、シャッターボタンの押下を受け付けたか否かの判定をする。押下を受け付けた場合は、ステップＳ８０４〜Ｓ８０５により撮像を行う（図７の７０５）。これにより、定間隔撮像を行っている最中にシャッターボタンの押下を受け付けた場合、撮像することができる。押下を受け付けなかった場合は、ステップＳ８１１に進む。
【００５３】
ステップＳ８１１において、撮像装置１００は、フラッシュメモリに記憶された撮像トリガー音５２４の値を判定する。ＯＮの場合は、ステップＳ８１２に進む。ＯＦＦの場合は、ステップＳ８１４に進む。
ステップＳ８１２において、撮像装置１００は、マイクから現在の周囲音を取得する。
【００５４】
ステップＳ８１３において、撮像装置１００は、現在の周囲音量≧撮像トリガー音量か否かを判定する。該当する場合、ステップＳ８０４〜Ｓ８０５により撮像を行う。該当しない場合、ステップＳ８１４に進む。具体的には、現在の周囲音量＝９８ｄB、撮像トリガー音量＝８０ｄＢの場合、現在の周囲音量≧撮像トリガー音量であるため、ステップＳ８０４〜Ｓ８０５により撮像を行う（図７の７０６）。
【００５５】
ステップＳ８１４において、撮像装置１００は、フラッシュメモリに記憶された撮像トリガー画像変化５２６の値を判定する。ＯＮの場合は、ステップＳ８１５に進む。ＯＦＦの場合は、ステップＳ８１７に進む。
ステップＳ８１５において、撮像装置１００は、レンズを経由して得られた現在の画像を取得する。
【００５６】
ステップＳ８１６において、撮像装置１００は、前回撮像画像からの画像変化量≧撮像トリガー画像変化量か否かを判定する。該当する場合、ステップＳ８０４〜Ｓ８０５により撮像を行う。該当しない場合、ステップＳ８１７に進む。具体的には、ステップＳ８０５にてＲＡＭに記憶された「撮像画像」とステップＳ８１５にて取得した現在画像を比較し、前回撮像画像からの画像変化量が、フラッシュメモリに記憶された撮像トリガー画像変化量５２７の値以上か否かを判定する。
【００５７】
例えば、現在時刻が１２時０１分２０秒の場合、図７の撮像画像７０２とレンズを経由して得られた現在画像７０３とを比較し、画像変化量が１２％と算出された場合、撮像トリガー画像変化量５２７＝１０％以上であるため、ステップＳ８０４〜Ｓ８０５により撮像を行う（図７の７０３）。なお、この実施形態においては、前回撮像画像と現在画像の比較としたが、これに限定するものではなく、例えば、前回定時間撮像画像と現在画像の比較でもよい。また、画像比較技術については、既知の技術であるため、ここでの説明は省略する。
【００５８】
ステップＳ８１７において、撮像装置１００は、フラッシュメモリに記憶された撮像トリガー位置変化５２８の値を判定する。ＯＮの場合は、ステップＳ８１８に進む。ＯＦＦの場合は、ステップＳ８２０に進む。
ステップＳ８１８において、撮像装置１００は、ＧＰＳで計測された現在の位置情報を取得する。
【００５９】
ステップＳ８１９において、撮像装置１００は、前回撮像位置情報からの変化量≧撮像トリガー位置変化量か否かを判定する。該当する場合、ステップＳ８０４〜Ｓ８０５により撮像を行う。該当しない場合、ステップＳ８２０に進む。具体的には、ステップＳ８０５にてＲＡＭに記憶された「撮像位置情報」とステップＳ８１８にて取得した現在位置情報を比較し、前回撮像位置情報からの位置変化量が、フラッシュメモリに記憶された撮像トリガー位置変化量５２９の値以上か否かを判定する。
【００６０】
例えば、前回撮像位置情報から現在位置情報への変化量（移動量）が１．２ｍと算出された場合、撮像トリガー位置変化量５２９＝１ｍ以上であるため、ステップＳ８０４〜Ｓ８０５により撮像を行う（不図示）。なお、この実施形態においては、前回撮像位置情報と現在位置情報の比較としたが、これに限定するものではなく、例えば、前回定時間撮像位置情報と現在位置情報の比較でもよい。また、位置情報の変化量の算出については、既知の技術であるため、ここでの説明は省略する。これにより、デジタルカメラ、スマートフォン・タブレット・移動体に設置されたカメラなどによる撮像時に移動した場合も自動で撮像することができる。
【００６１】
ステップＳ８２０において、撮像装置１００は、フラッシュメモリに記憶された撮像トリガー傾き変化５３０の値を判定する。ＯＮの場合は、ステップＳ８２１に進む。ＯＦＦの場合は、ステップＳ８２３に進む。
ステップＳ８２１において、撮像装置１００は、ジャイロセンサで計測された現在の傾き情報を取得する。
【００６２】
ステップＳ８２２において、撮像装置１００は、前回撮像傾き情報からの変化量≧撮像トリガー傾き変化量か否かを判定する。該当する場合、ステップＳ８０４〜Ｓ８０５により撮像を行う。該当しない場合、ステップＳ８２３に進む。具体的には、ステップＳ８０５にてＲＡＭに記憶された「撮像傾き情報」とステップＳ８１８にて取得した現在傾き情報を比較し、前回撮像傾き情報からの傾き変化量が、フラッシュメモリに記憶された撮像傾き変化量５３１の値以上か否かを判定する。
【００６３】
例えば、前回撮像傾き情報から現在傾き情報への変化量が２２°と算出された場合、撮像トリガー傾き変化量５３１＝２０°以上であるため、ステップＳ８０４〜Ｓ８０５により撮像を行う（不図示）。なお、この実施形態においては、前回撮像傾き情報と現在傾き情報の比較としたが、これに限定するものではなく、例えば、前回定時間撮像傾き情報と現在傾き情報の比較でもよい。また、傾き情報の変化量の算出については、既知の技術であるため、ここでの説明は省略する。これにより、デジタルカメラ、スマートフォン・タブレット・移動体に設置されたカメラなどによる撮像時に端末を傾けた場合も自動で撮像することができる。
【００６４】
ステップＳ８２３において、撮像装置１００は、定間隔撮像停止ボタン７０７の押下を受け付けたか否かの判定をする。押下を受け付けた場合は、このタイムラプス撮像処理を終了する。これにより、定間隔撮像を停止することができる。押下を受け付けなかった場合は、ステップＳ８０６に戻り、定間隔撮像を継続する。
以上で、図８のタイムラプス撮像処理の説明を終了する。
【００６５】
［一覧表示処理について]
次に、本発明に係る情報処理装置１０１における一覧表示全体処理の流れについて説明する。
図９は、本実施形態の情報処理装置１０１における一覧表示全体処理の一例を示すフローチャートである。
このフローチャートにおける各処理は、情報処理装置１０１のＣＰＵがＲＯＭ２０３等に格納されたプログラムをＲＡＭ２０２に展開して実行することにより実現される。
ステップＳ９０１において、情報処理装置１０１は、撮像画像一覧設定処理（図１１）を行う。
ステップＳ９０２において、情報処理装置１０１は、撮像画像一覧表示処理（図１３）を行う。
以上で、図９の一覧表示全体処理の説明を終了する。
【００６６】
図１０は、本実施形態の情報処理装置１０１における撮像画像一覧設定画面の一例を示す図である。情報処理装置１０１のディスプレイに表示された撮像画像一覧設定画面１０００で設定された値は、外部メモリ２１２に格納された撮像画像一覧設定テーブル１０２０に記憶する。
図１１は、本実施形態の情報処理装置１０１における撮像画像一覧設定処理の一例を示すフローチャートである。
ステップＳ１１０１において、情報処理装置１０１は、撮像画像一覧設定ボタン（不図示）の押下を受け付ける。
ステップＳ１１０２において、情報処理装置１０１は、撮像画像一覧設定画面１０００（図１０）を表示する。
【００６７】
ステップＳ１１０３において、情報処理装置１０１は、シャッターボタンチェックボックス１００１の押下を受け付けたか否かの判定をする。押下を受け付けた場合は、ステップＳ１１０４に進む。押下を受け付けなかった場合は、ステップＳ１１０７に進む。シャッターボタンチェックボックス１００１をＯＮにしておくことで、定間隔撮像を行っている最中にシャッターボタンの押下を受け付けて撮像した撮像画像が撮像画像一覧画面１２００（図１２）にて枠で囲まれて表示されるため識別可能になる。
ステップＳ１１０４において、情報処理装置１０１は、撮像画像一覧設定テーブル１０２０の一覧枠シャッター１０２１の値をＯＮに設定する。
【００６８】
ステップＳ１１０５において、情報処理装置１０１は、一覧枠シャッター色１００２の入力を受け付ける。例えば、「ピンク（＃ＦＦ９９９９）」の入力を受け付ける。
【００６９】
ステップＳ１１０６において、情報処理装置１０１は、ステップＳ１１０９にて入力を受け付けた一覧枠シャッター色１００２の値を撮像画像一覧設定テーブル１０２０の一覧枠シャッター色１０２２の値として設定し、ステップＳ１１０３に戻る。
【００７０】
ステップＳ１１０７において、情報処理装置１０１は、音チェックボックス１００３の押下を受け付けたか否かの判定をする。押下を受け付けた場合は、ステップＳ１１０８に進む。押下を受け付けなかった場合は、ステップＳ１１１１に進む。音チェックボックス１００３をＯＮにしておくことで、定間隔撮像を行っている最中に撮像装置１００のマイクにより撮像トリガー音量５０５以上の音を検知したことによって撮像した撮像画像が、撮像画像一覧画面１２００にて枠で囲まれて表示されるため識別可能になる。
ステップＳ１１０８において、情報処理装置１０１は、撮像画像一覧設定テーブル１０２０の一覧枠音１０２３の値をＯＮに設定する。
ステップＳ１１０９において、情報処理装置１０１は、一覧枠音色１００４の入力を受け付ける。例えば、「赤（＃ＦＦ００００）」の入力を受け付ける。
【００７１】
ステップＳ１１１０において、情報処理装置１０１は、ステップＳ１１０９にて入力を受け付けた一覧枠音色１００４の値を撮像画像一覧設定テーブル１０２０の一覧枠音色１０２４の値として設定し、ステップＳ１１０３に戻る。
【００７２】
ステップＳ１１１１において、情報処理装置１０１は、画像変化チェックボックス１００５の押下を受け付けたか否かの判定をする。押下を受け付けた場合は、ステップＳ１１１２に進む。押下を受け付けなかった場合は、ステップＳ１１１５に進む。画像変化チェックボックス１００５をＯＮにしておくことで、定間隔撮像を行っている最中に撮像装置１００のレンズを経由して得られた画像が前回の撮像画像から、撮像トリガー画像変化量５０７以上変化したことによって撮像した撮像画像が撮像画像一覧画面１２００にて枠で囲まれて表示されるため識別可能になる。
ステップＳ１１１２において、情報処理装置１０１は、撮像画像一覧設定テーブル１０２０の一覧枠画像変化１０２５の値をＯＮに設定する。
【００７３】
ステップＳ１１１３において、情報処理装置１０１は、一覧枠画像変化色１００６の入力を受け付ける。例えば、「緑（＃００ＦＦ００）」の入力を受け付ける。
【００７４】
ステップＳ１１１４において、情報処理装置１０１は、ステップＳ１１１５にて入力を受け付けた一覧枠画像変化色１００６の値を撮像画像一覧設定テーブル１０２０の一覧枠画像変化色１０２６の値として設定し、ステップＳ１１０３に戻る。
【００７５】
ステップＳ１１１５において、情報処理装置１０１は、位置変化チェックボックス１００７の押下を受け付けたか否かの判定をする。押下を受け付けた場合は、ステップＳ１１１６に進む。押下を受け付けなかった場合は、ステップＳ１１１９に進む。位置変化チェックボックス１００７をＯＮにしておくことで、定間隔撮像を行っている最中に、撮像装置１００のＧＰＳで計測された位置情報が前回の撮像時の位置情報から、撮像トリガー位置変化量５０９以上変化したことによって撮像した撮像画像が撮像画像一覧画面１２００にて枠で囲まれて表示されるため識別可能になる。
ステップＳ１１１６において、情報処理装置１０１は、撮像画像一覧設定テーブル１０２０の一覧枠位置変化１０２７の値をＯＮに設定する。
【００７６】
ステップＳ１１１７において、情報処理装置１０１は、一覧枠位置変化色１００８の入力を受け付ける。例えば、「黄緑（＃９９ＦＦ９９）」の入力を受け付ける。
【００７７】
ステップＳ１１１８において、情報処理装置１０１は、ステップＳ１１１７にて入力を受け付けた一覧枠位置変化色１００８の値を撮像画像一覧設定テーブル１０２０の一覧枠位置変化色１０２８の値として設定し、ステップＳ１１０３に戻る。
【００７８】
ステップＳ１１１９において、情報処理装置１０１は、傾き変化チェックボックス１００９の押下を受け付けたか否かの判定をする。押下を受け付けた場合は、ステップＳ１１２０に進む。押下を受け付けなかった場合は、ステップＳ１１２３に進む。傾き変化チェックボックス１００９をＯＮにしておくことで、定間隔撮像を行っている最中に、撮像装置１００のジャイロセンサで計測された傾きが前回の撮像時の傾きから、撮像トリガー傾き変化量５１１以上の変化したことによって撮像した撮像画像が撮像画像一覧画面１２００にて枠で囲まれて表示されるため識別可能になる。
ステップＳ１１２０において、情報処理装置１０１は、撮像画像一覧設定テーブル１０２０の一覧枠傾き変化１０２９の値をＯＮに設定する。
【００７９】
ステップＳ１１２１において、情報処理装置１０１は、一覧枠傾き変化色１０１０の入力を受け付ける。例えば、「青（＃００００ＦＦ）」の入力を受け付ける。
【００８０】
ステップＳ１１２２において、情報処理装置１０１は、ステップＳ１１２１にて入力を受け付けた一覧枠傾き変化色１０１０の値を撮像画像一覧設定テーブル１０２０の一覧枠傾き変化色１０３０の値として設定し、ステップＳ１１０３に戻る。
【００８１】
ステップＳ１１２３において、情報処理装置１０１は、保存ボタン１０１２の押下を受け付けたか否かの判定をする。押下を受け付けた場合は、ステップＳ１１２４に進む。押下を受け付けなかった場合は、ステップＳ１１２５に進む。
【００８２】
ステップＳ１１２４において、情報処理装置１０１は、この撮像画像一覧設定処理で行った撮像画像一覧設定テーブル１０２０への値の設定をコミットし、撮像画像一覧設定処理を終了する。
【００８３】
ステップＳ１１２５において、情報処理装置１０１は、キャンセルボタン１０１１の押下を受け付けたか否かの判定をする。押下を受け付けた場合は、ステップＳ１１２６に進む。押下を受け付けなかった場合は、ステップＳ１１０３に戻る。
【００８４】
ステップＳ１１２６において、情報処理装置１０１は、この撮像画像一覧設定処理で行った撮像画像一覧設定テーブル１０２０への値の設定をロールバックし、撮像画像一覧設定処理を終了する。
以上で、図１１の撮像画像一覧設定処理の説明を終了する。
【００８５】
図１２は、本実施形態の情報処理装置１０１における撮像画像一覧画面の一例を示す図である。これは、撮像装置１００にて撮像された撮像画像を、情報処理装置１０１の撮像画像一覧画面１２００に表示した図である。定間隔撮像を行っている最中のトリガー撮像による撮像画像（図１２の１２０１、１２０３、１２０５、１２０６）を枠で囲むことで、定間隔撮像による撮像画像（図１２の１２０２、１２０４）と識別して表示する。また、撮像トリガー表示１２０９や枠の色によって、「撮像トリガー」の種類を識別できる。なお、この実施形態においては、トリガー撮像による撮像画像を枠で囲むとしたが、これに限定するものではなく、画像の大きさを変えて表示する、画像の色調を変えて表示する、アイコンを表示する、別のウィンドウ等に分類して表示する等であってもよい。
【００８６】
図１３は、本実施形態の情報処理装置１０１における撮像画像一覧処理の一例を示すフローチャートである。
ステップＳ１３０１において、情報処理装置１０１は、撮像画像一覧画面の表示指示を受け付ける。
ステップＳ１３０２において、情報処理装置１０１は、撮像画像一覧画面１２００（図１２）を表示する。各撮像画像の表示は、この後のステップＳ１３０４〜Ｓ１３０５により行うため、現段階では、各撮像画像は未表示の状態である。
【００８７】
ステップＳ１３０３において、情報処理装置１０１は、撮像装置１００にて撮像された撮像画像を、撮像装置１００のフラッシュメモリ、外部ストレージ、または情報処理装置１０１の外部メモリ２１２から１つ取得する。
【００８８】
ステップＳ１３０４において、情報処理装置１０１は、ステップＳ１３０３にて取得した撮像画像から、当該撮像の付加情報である、「撮像時刻」「撮像位置情報」「撮像傾き情報」「撮像トリガー」を取得し、ＲＡＭ２０３に記憶する。なお、撮像トリガーには、「定間隔」「シャッター」「音」「画像変化」「位置変化」「傾き変化」などがある。
ステップＳ１３０５において、情報処理装置１０１は、撮像画像一覧画面１２００にステップＳ１３０３にて取得した撮像画像を表示する。
【００８９】
ステップＳ１３０６において、情報処理装置１０１は、ステップＳ１３０４にてＲＡＭ２０３に記憶した撮像トリガー＝「シャッター」か否かを判定する。Ｙｅｓの場合は、ステップＳ１３０７に進む。Ｎｏの場合は、ステップＳ１３１０に進む。
【００９０】
ステップＳ１３０７において、情報処理装置１０１は、撮像画像一覧設定テーブル１０２０の一覧枠シャッター１０２１の値を判定する。ＯＮの場合は、ステップＳ１３０８に進む。ＯＦＦの場合は、ステップＳ１３１０に進む。
ステップＳ１３０８において、情報処理装置１０１は、撮像画像一覧設定テーブル１０２０の一覧枠シャッター色１０２２の値を取得する。
【００９１】
ステップＳ１３０９において、情報処理装置１０１は、ステップＳ１３０５にて表示した撮像画像を、ステップＳ１３０８にて取得した一覧枠シャッター色１０２２の枠で囲む。これにより、定間隔撮像を行っている最中にシャッターボタンの押下を受け付けて撮像した撮像画像が定間隔撮像により撮像した撮像画像と識別可能になる。
【００９２】
ステップＳ１３１０において、情報処理装置１０１は、ステップＳ１３０４にてＲＡＭ２０３に記憶した撮像トリガー＝「音」か否かを判定する。Ｙｅｓの場合は、ステップＳ１３１１に進む。Ｎｏの場合は、ステップＳ１３１４に進む。
【００９３】
ステップＳ１３１１において、情報処理装置１０１は、撮像画像一覧設定テーブル１０２０の一覧枠音１０２３の値を判定する。ＯＮの場合は、ステップＳ１３１２に進む。ＯＦＦの場合は、ステップＳ１３１４に進む。
ステップＳ１３１２において、情報処理装置１０１は、撮像画像一覧設定テーブル１０２０の一覧枠音色１０２４の値を取得する。
【００９４】
ステップＳ１３１３において、情報処理装置１０１は、ステップＳ１３０５にて表示した撮像画像を、ステップＳ１３１２にて取得した一覧枠音色１０２４の枠で囲む。これにより、定間隔撮像を行っている最中に撮像装置１００のマイクにより撮像トリガー音量５０５以上の音を検知したことによって撮像した撮像画像が、定間隔撮像により撮像した撮像画像と識別可能になる。
【００９５】
ステップＳ１３１４において、情報処理装置１０１は、ステップＳ１３０４にてＲＡＭ２０３に記憶した撮像トリガー＝「画像変化」か否かを判定する。Ｙｅｓの場合は、ステップＳ１３１５に進む。Ｎｏの場合は、ステップＳ１３１８に進む。
【００９６】
ステップＳ１３１５において、情報処理装置１０１は、撮像画像一覧設定テーブル１０２０の一覧枠画像変化１０２５の値を判定する。ＯＮの場合は、ステップＳ１３１６に進む。ＯＦＦの場合は、ステップＳ１３１８に進む。
ステップＳ１３１６において、情報処理装置１０１は、撮像画像一覧設定テーブル１０２０の一覧枠画像変化色１０２６の値を取得する。
【００９７】
ステップＳ１３１７において、情報処理装置１０１は、ステップＳ１３０５にて表示した撮像画像を、ステップＳ１３１６にて取得した一覧枠画像変化色１０２６の枠で囲む。これにより、定間隔撮像を行っている最中に撮像装置１００のレンズを経由して得られた画像が前回の撮像画像から、撮像トリガー画像変化量５０７以上変化したことによって撮像した撮像画像が、定間隔撮像により撮像した撮像画像と識別可能になる。
【００９８】
ステップＳ１３１８において、情報処理装置１０１は、ステップＳ１３０４にてＲＡＭ２０３に記憶した撮像トリガー＝「位置変化」か否かを判定する。Ｙｅｓの場合は、ステップＳ１３１９に進む。Ｎｏの場合は、ステップＳ１３２２に進む。
【００９９】
ステップＳ１３１９において、情報処理装置１０１は、撮像画像一覧設定テーブル１０２０の一覧枠位置変化１０２７の値を判定する。ＯＮの場合は、ステップＳ１３２０に進む。ＯＦＦの場合は、ステップＳ１３２２に進む。
ステップＳ１３２０において、情報処理装置１０１は、撮像画像一覧設定テーブル１０２０の一覧枠位置変化色１０２８の値を取得する。
【０１００】
ステップＳ１３２１において、情報処理装置１０１は、ステップＳ１３０５にて表示した撮像画像を、ステップＳ１３２０にて取得した一覧枠位置変化色１０２８の枠で囲む。これにより、定間隔撮像を行っている最中に撮像装置１００のＧＰＳで計測された位置情報が前回の撮像時の位置情報から、撮像トリガー位置変化量５０９以上変化したことによって撮像した撮像画像が、定間隔撮像により撮像した撮像画像と識別可能になる。
【０１０１】
ステップＳ１３２２において、情報処理装置１０１は、ステップＳ１３０４にてＲＡＭ２０３に記憶した撮像トリガー＝「傾き変化」か否かを判定する。Ｙｅｓの場合は、ステップＳ１３２３に進む。Ｎｏの場合は、ステップＳ１３０３に戻り、次の撮像画像を取得する。
【０１０２】
ステップＳ１３２３において、情報処理装置１０１は、撮像画像一覧設定テーブル１０２０の一覧枠傾き変化１０２９の値を判定する。ＯＮの場合は、ステップＳ１３２４に進む。ＯＦＦの場合は、ステップＳ１３０３に戻り、次の撮像画像を取得する。
ステップＳ１３２４において、情報処理装置１０１は、撮像画像一覧設定テーブル１０２０の一覧枠傾き変化色１０３０の値を取得する。
【０１０３】
ステップＳ１３２５において、情報処理装置１０１は、ステップＳ１３０５にて表示した撮像画像を、ステップＳ１３１６にて取得した一覧枠傾き変化色１０３０の枠で囲む。これにより、定間隔撮像を行っている最中に撮像装置１００のジャイロセンサで計測された傾きが前回の撮像時の傾きから、撮像トリガー傾き変化量５１１以上の変化したことによって撮像した撮像画像が、定間隔撮像により撮像した撮像画像と識別可能になる。
【０１０４】
ステップＳ１３２６において、情報処理装置１０１は、撮像画像一覧画面１２００上のボタンの押下を受け付けたか否かの判定をする。削除ボタン１２０８の押下を受け付けた場合は、ステップＳ１３２７に進む。終了ボタン１２０７の押下を受け付けた場合は、この撮像画像一覧処理を終了する。
【０１０５】
ステップＳ１３２７において、情報処理装置１０１は、削除対象の撮像画像から撮像トリガーを取得し、値を判定する。「定間隔」の場合は、ステップＳ１３２９に進み、「定間隔」以外の場合は、ステップＳ１３２８に進む。
【０１０６】
ステップＳ１３２８において、情報処理装置１０１は、「この画像を削除してもいいですか？」のような確認ダイアログ（不図示）を表示し、押下されたボタンを判定する。ＯＫボタンが押下された場合は、ステップＳ１３３１に進む。キャンセルボタンが押下された場合は、ステップＳ１３２６に戻る。
【０１０７】
ステップＳ１３２９において、情報処理装置１０１は、「この画像を削除してもいいですか？」のような確認ダイアログ（不図示）を表示し、押下されたボタンを判定する。ＯＫボタンが押下された場合は、ステップＳ１３３０に進む。キャンセルボタンが押下された場合は、ステップＳ１３２６に戻る。
【０１０８】
ステップＳ１３３０において、情報処理装置１０１は、「この画像は撮像トリガーにより撮像された画像ですが、削除してもいいですか？」のような確認ダイアログ（不図示）を表示し、押下されたボタンを判定する。ＯＫボタンが押下された場合は、ステップＳ１３３１に進む。キャンセルボタンが押下された場合は、ステップＳ１３２６に戻る。これにより、定間隔以外で撮像された撮像画像を削除する場合の確認を、定間隔で撮像された撮像画像を削除する場合の確認と異なる回数確認することで、撮像トリガーにより撮像した撮像画像を誤って削除してしまうことを防ぐことができる。
以上で、図１３の撮像画像一覧処理の説明を終了する。
【０１０９】
図１４は、本実施形態の情報処理装置１０１におけるスライドショー全体処理の一例を示すフローチャートである。
このフローチャートにおける各処理は、情報処理装置１０１のＣＰＵがＲＯＭ２０３等に格納されたプログラムをＲＡＭ２０２に展開して実行することにより実現される。
ステップＳ１４０１において、情報処理装置１０１は、スライドショー設定処理（図１６）を行う。
ステップＳ１４０２において、情報処理装置１０１は、スライドショー表示処理（図１８）を行う。
以上で、図１４のスライドショー全体処理の説明を終了する。
【０１１０】
図１５は、本実施形態の情報処理装置１０１におけるスライドショー設定画面の一例を示す図である。情報処理装置１０１のディスプレイに表示されたスライドショー設定画面１５００で設定された値は、外部メモリ２１２に格納されたスライドショー設定テーブル１５２０に記憶する。
【０１１１】
図１６は、本実施形態の情報処理装置１０１におけるスライドショー設定処理の一例を示すフローチャートである。
ステップＳ１６０１において、情報処理装置１０１は、スライドショー設定ボタン（不図示）の押下を受け付ける。
ステップＳ１６０２において、情報処理装置１０１は、スライドショー設定画面１５００（図１５）を表示する。
ステップＳ１６０３において、情報処理装置１０１は、１枚あたりの表示時間１５０１の入力を受け付け、値を判定する。値がある場合は、ステップＳ１６０４に進む。値がない場合は、ステップＳ１６０５に進む。
【０１１２】
ステップＳ１６０４において、情報処理装置１０１は、ステップＳ１６０３にて入力を受け付けた１枚あたりの表示時間１５０１の値をスライドショー設定テーブル１５２０のショー１枚あたりの表示時間１５２１の値として設定し、ステップＳ１６０３に戻る。
【０１１３】
ステップＳ１６０５において、情報処理装置１０１は、画像変化〜１０％表示時間１５０２および枠表示チェックボックス１５０３の入力を受け付け、値を判定する。値がある場合は、ステップＳ１６０６に進む。値がない場合は、ステップＳ１６０８に進む。
【０１１４】
ステップＳ１６０６において、情報処理装置１０１は、ステップＳ１６０５にて入力を受け付けた画像変化〜１０％表示時間１５０２の値をスライドショー設定テーブル１５２０のショー画像変化〜１０％表示時間１５２２の値として設定する。これにより、スライドショー中に前撮像画像から０〜１０％の画像変化が発生した場合、他の画像表示時間とは異なる時間を用いて表示されるため識別可能になる。
【０１１５】
ステップＳ１６０７において、情報処理装置１０１は、ステップＳ１６０５にて入力を受け付けた枠表示チェックボックス１５０３の値をスライドショー設定テーブル１５２０のショー画像変化〜１０％枠表示１５２３の値として設定し、ステップＳ１６０３に戻る。これにより、スライドショー中に前撮像画像から０〜１０％の画像変化が発生した場合、枠で囲まれて表示されるため識別可能になる。
【０１１６】
ステップＳ１６０８において、情報処理装置１０１は、画像変化１０〜３０％表示時間１５０４および枠表示チェックボックス１５０５の入力を受け付け、値を判定する。値がある場合は、ステップＳ１６０９に進む。値がない場合は、ステップＳ１６１１に進む。
【０１１７】
ステップＳ１６０９において、情報処理装置１０１は、ステップＳ１６０８にて入力を受け付けた画像変化１０〜３０％表示時間１５０４の値をスライドショー設定テーブル１５２０のショー画像変化１０〜３０％表示時間１５２４の値として設定する。これにより、スライドショー中に前撮像画像から１０〜３０％の画像変化が発生した場合、他の画像表示時間とは異なる時間を用いて表示されるため識別可能になる。
【０１１８】
ステップＳ１６１０において、情報処理装置１０１は、ステップＳ１６０８にて入力を受け付けた枠表示チェックボックス１５０５の値をスライドショー設定テーブル１５２０のショー画像変化１０〜３０％枠表示１５２５の値として設定し、ステップＳ１６０３に戻る。これにより、スライドショー中に前撮像画像から１０〜３０％の画像変化が発生した場合、枠で囲まれて表示されるため識別可能になる。
【０１１９】
ステップＳ１６１１において、情報処理装置１０１は、画像変化３０％〜表示時間１５０６および枠表示チェックボックス１５０７の入力を受け付け、値を判定する。値がある場合は、ステップＳ１６１２に進む。値がない場合は、ステップＳ１６１４に進む。
【０１２０】
ステップＳ１６１２において、情報処理装置１０１は、ステップＳ１６１１にて入力を受け付けた画像変化３０％〜表示時間１５０６の値をスライドショー設定テーブル１５２０のショー画像変化３０％〜表示時間１５２６の値として設定する。これにより、スライドショー中に前撮像画像から３０％〜の画像変化が発生した場合、他の画像表示時間とは異なる時間を用いて表示されるため識別可能になる。
【０１２１】
ステップＳ１６１３において、情報処理装置１０１は、ステップＳ１６１１にて入力を受け付けた枠表示チェックボックス１５０７の値をスライドショー設定テーブル１５２０のショー画像変化３０％〜枠表示１５２７の値として設定し、ステップＳ１６０３に戻る。これにより、スライドショー中に前撮像画像から３０％〜の画像変化が発生した場合、枠で囲まれて表示されるため識別可能になる。
【０１２２】
ステップＳ１６１４において、情報処理装置１０１は、シャッターボタン表示時間１５０８および枠表示チェックボックス１５０９の入力を受け付け、値を判定する。値がある場合は、ステップＳ１６１５に進む。値がない場合は、ステップＳ１６１７に進む。
【０１２３】
ステップＳ１６１５において、情報処理装置１０１は、ステップＳ１６１４にて入力を受け付けたシャッターボタン表示時間１５０８の値をスライドショー設定テーブル１５２０のショーシャッターボタン表示時間１５２８の値として設定する。これにより、定間隔撮像を行っている最中にシャッターボタンの押下を受け付けて撮像した撮像画像を他の画像表示時間とは異なる時間を用いて、スライドショー表示されるため識別可能になる。
【０１２４】
ステップＳ１６１６において、情報処理装置１０１は、ステップＳ１６１４にて入力を受け付けた枠表示チェックボックス１５０９の値をスライドショー設定テーブル１５２０のショーシャッター枠表示１５２９の値として設定し、ステップＳ１６０３に戻る。これにより、定間隔撮像を行っている最中にシャッターボタンの押下を受け付けて撮像した撮像画像が枠で囲まれて、スライドショー表示されるため識別可能になる。
【０１２５】
ステップＳ１６１７において、情報処理装置１０１は、音表示時間１５１０および枠表示チェックボックス１５１１の入力を受け付け、値を判定する。値がある場合は、ステップＳ１６１８に進む。値がない場合は、ステップＳ１６２０に進む。
【０１２６】
ステップＳ１６１８において、情報処理装置１０１は、ステップＳ１６１７にて入力を受け付けた音表示時間１５１０の値をスライドショー設定テーブル１５２０のショー音表示時間１５３０の値として設定する。これにより、定間隔撮像を行っている最中に撮像装置１００のマイクにより撮像トリガー音量５０５以上の音を検知したことによって撮像した撮像画像を他の画像表示時間とは異なる時間を用いて、スライドショー表示されるため識別可能になる。
【０１２７】
ステップＳ１６１９において、情報処理装置１０１は、ステップＳ１６１７にて入力を受け付けた枠表示チェックボックス１５１１の値をスライドショー設定テーブル１５２０のショー音枠表示１５３１の値として設定し、ステップＳ１６０３に戻る。これにより、定間隔撮像を行っている最中に撮像装置１００のマイクにより撮像トリガー音量５０５以上の音を検知したことによって撮像した撮像画像が枠で囲まれて、スライドショー表示されるため識別可能になる。
【０１２８】
ステップＳ１６２０において、情報処理装置１０１は、画像変化表示時間１５１２および枠表示チェックボックス１５１３の入力を受け付け、値を判定する。値がある場合は、ステップＳ１６２１に進む。値がない場合は、ステップＳ１６２３に進む。
【０１２９】
ステップＳ１６２１において、情報処理装置１０１は、ステップＳ１６２０にて入力を受け付けた画像変化表示時間１５１２の値をスライドショー設定テーブル１５２０のショー画像変化表示時間１５３２の値として設定する。これにより、定間隔撮像を行っている最中に撮像装置１００のレンズを経由して得られた画像が前回の撮像画像から、撮像トリガー画像変化量５０７以上変化したことによって撮像した撮像画像を他の画像表示時間とは異なる時間を用いて、スライドショー表示されるため識別可能になる。
【０１３０】
ステップＳ１６２２において、情報処理装置１０１は、ステップＳ１６２０にて入力を受け付けた枠表示チェックボックス１５１３の値をスライドショー設定テーブル１５２０のショー画像変化枠表示１５３３の値として設定し、ステップＳ１６０３に戻る。これにより、定間隔撮像を行っている最中に撮像装置１００のレンズを経由して得られた画像が前回の撮像画像から、撮像トリガー画像変化量５０７以上変化したことによって撮像した撮像画像が枠で囲まれて、スライドショー表示されるため識別可能になる。
【０１３１】
ステップＳ１６２３において、情報処理装置１０１は、位置変化表示時間１５１４および枠表示チェックボックス１５１５の入力を受け付け、値を判定する。値がある場合は、ステップＳ１６２４に進む。値がない場合は、ステップＳ１６２６に進む。
【０１３２】
ステップＳ１６２４において、情報処理装置１０１は、ステップＳ１６２３にて入力を受け付けた位置変化表示時間１５１４の値をスライドショー設定テーブル１５２０のショー位置変化表示時間１５３４の値として設定する。これにより、定間隔撮像を行っている最中に撮像装置１００のＧＰＳで計測された位置情報が前回の撮像時の位置情報から、撮像トリガー位置変化量５０９以上変化したことによって撮像した撮像画像を他の画像表示時間とは異なる時間を用いて、スライドショー表示されるため識別可能になる。
【０１３３】
ステップＳ１６２５において、情報処理装置１０１は、ステップＳ１６２３にて入力を受け付けた枠表示チェックボックス１５１５の値をスライドショー設定テーブル１５２０のショー位置変化枠表示１５３５の値として設定し、ステップＳ１６０３に戻る。これにより、定間隔撮像を行っている最中に撮像装置１００のＧＰＳで計測された位置情報が前回の撮像時の位置情報から、撮像トリガー位置変化量５０９以上変化したことによって撮像した撮像画像が枠で囲まれて、スライドショー表示されるため識別可能になる。
【０１３４】
ステップＳ１６２６において、情報処理装置１０１は、傾き変化表示時間１５１６および枠表示チェックボックス１５１７の入力を受け付け、値を判定する。値がある場合は、ステップＳ１６２７に進む。値がない場合は、ステップＳ１６２９に進む。
【０１３５】
ステップＳ１６２７において、情報処理装置１０１は、ステップＳ１６２５にて入力を受け付けた傾き変化表示時間１５１６の値をスライドショー設定テーブル１５２０のショー傾き変化表示時間１５３５の値として設定する。これにより、定間隔撮像を行っている最中に撮像装置１００のジャイロセンサで計測された傾きが前回の撮像時の傾きから、撮像トリガー傾き変化量５１１以上の変化したことによって撮像した撮像画像を他の画像表示時間とは異なる時間を用いて、スライドショー表示されるため識別可能になる。
【０１３６】
ステップＳ１６２８において、情報処理装置１０１は、ステップＳ１６２５にて入力を受け付けた枠表示チェックボックス１５１７の値をスライドショー設定テーブル１５２０のショー傾き変化枠表示１５３７の値として設定し、ステップＳ１６０３に戻る。これにより、定間隔撮像を行っている最中に撮像装置１００のジャイロセンサで計測された傾きが前回の撮像時の傾きから、撮像トリガー傾き変化量５１１以上の変化したことによって撮像した撮像画像が枠で囲まれて、スライドショー表示されるため識別可能になる。
【０１３７】
ステップＳ１６２９において、情報処理装置１０１は、保存ボタン１５１９の押下を受け付けたか否かの判定をする。押下を受け付けた場合は、ステップＳ１６３０に進む。押下を受け付けなかった場合は、ステップＳ１６３１に進む。
【０１３８】
ステップＳ１６３０において、情報処理装置１０１は、このスライドショー設定処理で行ったスライドショー設定テーブル１５２０への値の設定をコミットし、スライドショー設定処理を終了する。
【０１３９】
ステップＳ１６３１において、情報処理装置１０１は、キャンセルボタン１０１１の押下を受け付けたか否かの判定をする。押下を受け付けた場合は、ステップＳ１６３２に進む。押下を受け付けなかった場合は、ステップＳ１６０３に戻る。
【０１４０】
ステップＳ１６３２において、情報処理装置１０１は、このスライドショー設定処理で行ったスライドショー設定テーブル１５２０への値の設定をロールバックし、スライドショー設定処理を終了する。
以上で、図１６のスライドショー設定処理の説明を終了する。
【０１４１】
図１７は、本実施形態の情報処理装置１０１におけるスライドショー表示画面の一例を示す図である。これは、撮像装置１００にて撮像された撮像画像を、情報処理装置１０１の撮像画像一覧画面１２００にスライドショー表示した図である。定間隔撮像を行っている最中のトリガー撮像による撮像画像（図１７の１７０１、１７０３、１７０５、１７０６）を枠で囲み、表示時間を定間隔撮像による撮像画像（図１７の１７０２、１７０４）と変えることで、識別して表示する。また、撮像トリガー表示１７０９によって、「撮像トリガー」の種類を識別できる。また、枠の色によって、「撮像トリガー」の種類を識別してもよい。なお、この実施形態においては、トリガー撮像による撮像画像を枠で囲むとしたが、これに限定するものではなく、画像の大きさを変えて表示する、画像の色調を変えて表示する、アイコンを表示する等であってもよい。
【０１４２】
図１８は、本実施形態の情報処理装置１０１におけるスライドショー表示処理の一例を示すフローチャートである。
ステップＳ１８０１において、情報処理装置１０１は、スライドショー表示指示を受け付ける。
ステップＳ１８０２において、情報処理装置１０１は、スライドショー画面１７００（図１７）を表示する。撮像画像の表示は、この後のステップＳ１８０４〜Ｓ１８０５により行うため、現段階では、撮像画像は未表示の状態である。
【０１４３】
ステップＳ１８０３において、情報処理装置１０１は、撮像装置１００にて撮像された撮像画像を、撮像装置１００のフラッシュメモリ、外部ストレージ、または情報処理装置１０１の外部メモリ２１２から１つ取得する。
【０１４４】
ステップＳ１８０４において、情報処理装置１０１は、ステップＳ１８０３にて取得した撮像画像から、当該撮像の付加情報である、「撮像時刻」「撮像位置情報」「撮像傾き情報」「撮像トリガー」を取得し、ＲＡＭ２０３に記憶する。なお、撮像トリガーには、「定間隔」「シャッター」「音」「画像変化」「位置変化」「傾き変化」などがある。
ステップＳ１８０５において、情報処理装置１０１は、スライドショー画面１７００にステップＳ１８０３にて取得した撮像画像を表示する。
【０１４５】
ステップＳ１８０６において、情報処理装置１０１は、ステップＳ１８０４にてＲＡＭ２０３に記憶した撮像トリガー＝「シャッター」か否かを判定する。Ｙｅｓの場合は、ステップＳ１８０７に進む。Ｎｏの場合は、ステップＳ１８１０に進む。
【０１４６】
ステップＳ１８０７において、情報処理装置１０１は、スライドショー設定テーブル１５２０のショーシャッター枠表示１５２９の値を判定する。ＯＮの場合は、ステップＳ１８０８に進む。ＯＦＦの場合は、ステップＳ１８１０に進む。
ステップＳ１８０８において、情報処理装置１０１は、ステップＳ１８０５にて表示した撮像画像に枠を表示する。
【０１４７】
ステップＳ１８０９において、情報処理装置１０１は、スライドショー設定テーブル１５２０のショーシャッターボタン表示時間１５２８の値を取得し、ステップＳ１８０５にて表示した撮像画像を表示したまま、取得したショーシャッターボタン表示時間１５２８だけ待機する。これにより、定間隔撮像を行っている最中にシャッターボタンの押下を受け付けて撮像した撮像画像の表示時間が、定間隔撮像により撮像した撮像画像と表示時間が異なるため識別可能になる。
【０１４８】
ステップＳ１８１０において、情報処理装置１０１は、ステップＳ１８０４にてＲＡＭ２０３に記憶した撮像トリガー＝「音」か否かを判定する。Ｙｅｓの場合は、ステップＳ１８１１に進む。Ｎｏの場合は、ステップＳ１８１４に進む。
【０１４９】
ステップＳ１８１１において、情報処理装置１０１は、スライドショー設定テーブル１５２０のショー音枠表示１５３１の値を判定する。ＯＮの場合は、ステップＳ１８１２に進む。ＯＦＦの場合は、ステップＳ１８１４に進む。
ステップＳ１８１２において、情報処理装置１０１は、ステップＳ１８０５にて表示した撮像画像に枠を表示する。
【０１５０】
ステップＳ１８１３において、情報処理装置１０１は、スライドショー設定テーブル１５２０のショー音表示時間１５３０の値を取得し、ステップＳ１８０５にて表示した撮像画像を表示したまま、取得したショー音表示時間１５３０だけ待機する。これにより、定間隔撮像を行っている最中に撮像装置１００のマイクにより撮像トリガー音量５０５以上の音を検知したことによって撮像した撮像画像の表示時間が、定間隔撮像により撮像した撮像画像と表示時間が異なるため識別可能になる。
【０１５１】
ステップＳ１８１４において、情報処理装置１０１は、ステップＳ１８０４にてＲＡＭ２０３に記憶した撮像トリガー＝「画像変化」か否かを判定する。Ｙｅｓの場合は、ステップＳ１８１５に進む。Ｎｏの場合は、ステップＳ１８１８に進む。
【０１５２】
ステップＳ１８１５において、情報処理装置１０１は、スライドショー設定テーブル１５２０のショー画像変化枠表示１５３３の値を判定する。ＯＮの場合は、ステップＳ１８１６に進む。ＯＦＦの場合は、ステップＳ１８１８に進む。
ステップＳ１８１６において、情報処理装置１０１は、ステップＳ１８０５にて表示した撮像画像に枠を表示する。
【０１５３】
ステップＳ１８１７において、情報処理装置１０１は、スライドショー設定テーブル１５２０のショー画像変化表示時間１５３２の値を取得し、ステップＳ１８０５にて表示した撮像画像を表示したまま、取得したショー画像変化表示時間１５３２だけ待機する。これにより、定間隔撮像を行っている最中に撮像装置１００のレンズを経由して得られた画像が前回の撮像画像から、撮像トリガー画像変化量５０７以上変化したことによって撮像した撮像画像の表示時間が、定間隔撮像により撮像した撮像画像と表示時間が異なるため識別可能になる。
【０１５４】
ステップＳ１８１８において、情報処理装置１０１は、ステップＳ１８０４にてＲＡＭ２０３に記憶した撮像トリガー＝「位置変化」か否かを判定する。Ｙｅｓの場合は、ステップＳ１８１９に進む。Ｎｏの場合は、ステップＳ１８２２に進む。
【０１５５】
ステップＳ１８１９において、情報処理装置１０１は、スライドショー設定テーブル１５２０のショー位置変化枠表示１５３５の値を判定する。ＯＮの場合は、ステップＳ１８２０に進む。ＯＦＦの場合は、ステップＳ１８２２に進む。
ステップＳ１８２０において、情報処理装置１０１は、ステップＳ１８０５にて表示した撮像画像に枠を表示する。
【０１５６】
ステップＳ１８２１において、情報処理装置１０１は、スライドショー設定テーブル１５２０のショー位置変化表示時間１５３４の値を取得し、ステップＳ１８０５にて表示した撮像画像を表示したまま、取得したショー位置変化表示時間１５３４だけ待機する。これにより、定間隔撮像を行っている最中に撮像装置１００のＧＰＳで計測された位置情報が前回の撮像時の位置情報から、撮像トリガー位置変化量５０９以上変化したことによって撮像した撮像画像の表示時間が、定間隔撮像により撮像した撮像画像と表示時間が異なるため識別可能になる。
【０１５７】
ステップＳ１８２２において、情報処理装置１０１は、ステップＳ１８０４にてＲＡＭ２０３に記憶した撮像トリガー＝「傾き変化」か否かを判定する。Ｙｅｓの場合は、ステップＳ１８２３に進む。Ｎｏの場合は、ステップＳ１８０３に戻り、次の撮像画像を取得する。
【０１５８】
ステップＳ１８２３において、情報処理装置１０１は、スライドショー設定テーブル１５２０のショー傾き変化枠表示１５３７の値を判定する。ＯＮの場合は、ステップＳ１８２４に進む。ＯＦＦの場合は、ステップＳ１８０３に戻り、次の撮像画像を取得する。
ステップＳ１８２４において、情報処理装置１０１は、ステップＳ１８０５にて表示した撮像画像に枠を表示する。
【０１５９】
ステップＳ１８２５において、情報処理装置１０１は、スライドショー設定テーブル１５２０のショー傾き変化表示時間１５３６の値を取得し、ステップＳ１８０５にて表示した撮像画像を表示したまま、取得したショー傾き変化表示時間１５３６だけ待機する。これにより、定間隔撮像を行っている最中に撮像装置１００のジャイロセンサで計測された傾きが前回の撮像時の傾きから、撮像トリガー傾き変化量５１１以上の変化したことによって撮像した撮像画像の表示時間が、定間隔撮像により撮像した撮像画像と表示時間が異なるため識別可能になる。
【０１６０】
ステップＳ１８２６において、情報処理装置１０１は、撮像画像一覧画面１７００上のボタンの押下を受け付けたか否かの判定をする。削除ボタン１７０８の押下を受け付けた場合は、ステップＳ１８２７に進む。終了ボタン１７０７の押下を受け付けた場合は、この撮像画像一覧処理を終了する。ボタンが押下されなかった場合は、ステップＳ１８０３に戻り、次の撮像画像の表示へ進む。ステップＳ１８０３にて次の撮像画像が無い場合は、このスライドショー表示処理を終了する。
【０１６１】
ステップＳ１８２７において、情報処理装置１０１は、削除対象の撮像画像から撮像トリガーを取得し、値を判定する。「定間隔」の場合は、ステップＳ１８２９に進み、「定間隔」以外の場合は、ステップＳ１８２８に進む。
【０１６２】
ステップＳ１８２８において、情報処理装置１０１は、「この画像を削除してもいいですか？」のような確認ダイアログ（不図示）を表示し、押下されたボタンを判定する。ＯＫボタンが押下された場合は、ステップＳ１８３１に進む。キャンセルボタンが押下された場合は、ステップＳ１８２６に戻る。
【０１６３】
ステップＳ１８２９において、情報処理装置１０１は、「この画像を削除してもいいですか？」のような確認ダイアログ（不図示）を表示し、押下されたボタンを判定する。ＯＫボタンが押下された場合は、ステップＳ１８３０に進む。キャンセルボタンが押下された場合は、ステップＳ１８２６に戻る。
【０１６４】
ステップＳ１８３０において、情報処理装置１０１は、「この画像は撮像トリガーにより撮像された画像ですが、削除してもいいですか？」のような確認ダイアログ（不図示）を表示し、押下されたボタンを判定する。ＯＫボタンが押下された場合は、ステップＳ１８３１に進む。キャンセルボタンが押下された場合は、ステップＳ１８２６に戻る。これにより、定間隔以外で撮像された撮像画像を削除する場合の確認を、定間隔で撮像された撮像画像を削除する場合の確認と異なる回数確認することで、撮像トリガーにより撮像した撮像画像を誤って削除してしまうことを防ぐことができる。
以上で、図１８のスライドショー表示処理の説明を終了する。
以上により、一定時間間隔の撮像された撮像画像と、一定時間間隔以外で撮像された撮像画像を識別して表示することができる。
また、撮像トリガーによる自動撮像された画像を誤って削除してしまうという課題を解決することができる。
【０１６５】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１６６】
この場合、記録媒体から読み出されたプログラム自体が本発明の新規な機能を実現することになり、そのプログラムを記録した記録媒体は本発明を構成することになる。
【０１６７】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１６８】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６９】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７０】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１７１】
上記プログラムの形態は、オブジェクトコード、インタプリタにより実行されるプログラムコード、ＯＳ（オペレーティングシステム）に供給されるスクリプトデータ等の形態から成ってもよい。
【符号の説明】
【０１７２】
１００  撮像装置
１０１  情報処理装置
【図１】
2019216490.tif 000003
【図２】
2019216490.tif 000004
【図３】
2019216490.tif 000005
【図４】
2019216490.tif 000006
【図５】
2019216490.tif 000007
【図６】
2019216490.tif 000008
【図７】
2019216490.tif 000009
【図８】
2019216490.tif 000010
【図９】
2019216490.tif 000011
【図１０】
2019216490.tif 000012
【図１１】
2019216490.tif 000013
【図１２】
2019216490.tif 000014
【図１３】
2019216490.tif 000015
【図１４】
2019216490.tif 000016
【図１５】
2019216490.tif 000017
【図１６】
2019216490.tif 000018
【図１７】
2019216490.tif 000019
【図１８】
2019216490.tif 000020